(57)【要約】【課題】物体の存在をセンサで検知して省電力状態から通常状態に復帰する画像処理装置が装置を利用しない物体を頻繁に検知してしまうような環境に設置されている場合でも、無駄な省電力状態からの復帰を防止し、適切な省電力状態を保つこと。【解決手段】画像処理装置１００では、物体の存在を複数の領域毎に検知するセンサ部１０４のいずれかの検知領域の領域位置情報を無視領域として無視領域リストに登録できる。画像処理装置１００のＣＰＵ１０１は、センサ部１０４で物体の存在が検知され、且つ該検知された領域に対応する領域位置情報が無視領域リストに登録されていない場合(Ｓ１０３でＮｏ)、省電力状態から通常状態へ復帰させ(Ｓ１０４)、一方、センサ部１０４で物体の存在が検知され、且つ該検知された領域に対応する領域位置情報が無視領域リストに登録されている場合(Ｓ１０３でYes)、省電力状態を維持するように制御する(Ｓ１０３→3fＳ１０１)。【選択図】図７
2014110547.tif 000002
【特許請求の範囲】
【請求項１】
画像処理動作が可能な通常状態と前記画像処理動作ができない省電力状態とを切り替えが可能な画像処理装置であって、
前記通常状態と前記省電力状態との切り替えを制御する制御手段と、
物体の存在を複数の領域毎に検知し該検知した領域の位置を領域位置情報として取得可能な検知手段と、
前記検知手段のいずれかの領域の領域位置情報を無視領域として記憶手段に登録する登録手段と、を有し、
前記制御手段は、前記検知手段で物体の存在が検知され、且つ、該検知された領域に対応する領域位置情報が前記無視領域として登録されていない場合、前記省電力状態から前記通常状態へ復帰させ、前記検知手段で物体の存在が検知され、且つ、該検知された領域に対応する領域位置情報が前記無視領域として登録されている場合、前記省電力状態を維持することを特徴とする画像処理装置。
【請求項２】
前記登録手段は、当該画像処理装置の操作手段から前記無視領域の登録を行うことを特徴とする請求項１に記載の画像処理装置。
【請求項３】
前記登録手段は、前記検知手段により物体の存在が検知されて前記制御手段により前記通常状態に復帰してから所定時間が経過するまでの間に、当該画像処理装置の操作手段が操作されなかった事態が発生した場合に、前記検知手段から取得した前記検知に対応する領域位置情報を、前記無視領域として登録することを特徴とする請求項１又は２に記載の画像処理装置。
【請求項４】
前記登録手段は、前記事態の発生が所定回数以上続いた場合に、前記検知手段から取得した前記検知に対応する領域位置情報を、前記無視領域として登録することを特徴とする請求項３に記載の画像処理装置。
【請求項５】
前記登録手段は、前記事態の発生が所定頻度以上の割合で発生した場合に、前記検知手段から取得した前記検知に対応する領域位置情報を、前記無視領域として登録することを特徴とする請求項３に記載の画像処理装置。
【請求項６】
前記省電力状態から前記通常状態へ復帰を指示する復帰スイッチを有し、
前記制御手段は、前記省電力状態にて前記復帰スイッチが操作された場合に、前記省電力状態から前記通常状態へ復帰させるものであり、
前記登録手段は、前記無視領域として登録されている特定の領域位置情報に対応する領域で物体の存在が検知され、且つ、前記検知から所定時間以内に前記復帰スイッチが操作されたことにより前記復帰が行われた事態が、所定の回数以上、又は所定の頻度以上の割合で発生した場合には、前記特定の領域位置情報を、前記無視領域の登録から削除することを特徴とする請求項１乃至５のいずれか１項に記載の画像処理装置。
【請求項７】
画像処理動作が可能な通常状態と前記画像処理動作ができない省電力状態とを切り替えが可能な画像処理装置の制御方法であって、
登録手段が、物体の存在を複数の領域毎に検知し該検知した領域の位置を領域位置情報として取得可能な検知手段のいずれかの領域の領域位置情報を無視領域として記憶手段に登録する登録ステップと、
前記検知手段が、前記省電力状態において物体の存在が検知する検知ステップと、
制御手段が、前記検知ステップで物体の存在が検知され、且つ、該検知された領域に対応する領域位置情報が前記無視領域として登録されていない場合に、前記省電力状態から前記通常状態へ復帰させる復帰ステップと、
前記制御手段が、前記検知ステップで物体の存在が検知され、且つ、該検知された領域に対応する領域位置情報が前記無視領域として登録されている場合に、前記省電力状態を維持するステップと、
を有することを特徴とする画像処理装置の制御方法。
【請求項８】
コンピュータを、請求項１乃至６のいずれか１項に記載された手段として、機能させるためのプログラム。
【発明の詳細な説明】
【技術分野】
【０００１】
本発明は、物体（例えば操作者）の接近をセンサで検知して省電力状態から通常状態に復帰する画像処理装置の制御に関する。
【背景技術】
【０００２】
従来の画像処理装置においては、一定時間操作が行われない場合に、省電力状態に移行するものがある。しかし、省電力状態から通常状態への復帰には時間がかかり、ユーザの利便性を損なう場合がある。
【０００３】
この問題を解決するために、人の接近をセンサで検知して画像処理装置を省電力状態から通常状態に復帰させるための技術が提案されている（特許文献１）。
【先行技術文献】
【特許文献】
【０００４】
【特許文献１】特開２０１２−１７７７９６号公報
【発明の概要】
【発明が解決しようとする課題】
【０００５】
しかし、特許文献１に記載の装置では、人体検知部の検知領域内の片隅に座席があるといった場合は、上記座席に座っている人を人体検知部が常に検知してしまって省電力状態から復帰してしまったり、省電力状態に移行できなくなってしまう。
また、人体検知部の検知領域を狭めるために検知感度を落とす方法もあるが、その場合、実際の操作者の接近を確実に検知する距離が短くなり、操作者が画像処理装置に辿り着いても復帰途中となり利便性を損なうという課題があった。
【０００６】
本発明は、上記の問題点を解決するためになされたものである。本発明の目的は、物体の存在をセンサで検知して省電力状態から通常状態に復帰する画像処理装置が装置を利用しない物体を頻繁に検知してしまうような環境に設置されている場合でも、無駄な省電力状態からの復帰を防止し、適切な省電力状態を保つことができる仕組みを提供することである。
【課題を解決するための手段】
【０００７】
本発明は、画像処理動作が可能な通常状態と前記画像処理動作ができない省電力状態とを切り替えが可能な画像処理装置であって、前記通常状態と前記省電力状態との切り替えを制御する制御手段と、物体の存在を複数の領域毎に検知し該検知した領域の位置を領域位置情報として取得可能な検知手段と、前記検知手段のいずれかの領域の領域位置情報を無視領域として記憶手段に登録する登録手段と、を有し、前記制御手段は、前記検知手段で物体の存在が検知され、且つ、該検知された領域に対応する領域位置情報が前記無視領域として登録されていない場合、前記省電力状態から前記通常状態へ復帰させ、前記検知手段で物体の存在が検知され、且つ、該検知された領域に対応する領域位置情報が前記無視領域として登録されている場合、前記省電力状態を維持することを特徴とする。
【発明の効果】
【０００８】
本発明によれば、物体の存在をセンサで検知して省電力状態から通常状態に復帰する画像処理装置が装置を利用しない物体を頻繁に検知してしまうような環境に設置されている場合でも、無駄な省電力状態からの復帰を防止し、適切な省電力状態を保つことができる。
【図面の簡単な説明】
【０００９】
【図１】本発明の一実施例を示す画像処理装置の構成の一例を示すブロック図である。
【図２】画像処理装置１００とセンサ部１０４の検知領域を画像処理装置１００の側面から見た場合の位置関係を示す図である。
【図３】画像処理装置１００とセンサ部１０４の検知領域３０１を画像処理装置１００の上方から見た場合の位置関係を示す図である。
【図４】図３の座席位置３０４にて人が存在している場合のセンサ部１０４の検知結果を示した図である。
【図５】図３に示すセンサ検知領域全体の中で、人の存在を検知しても省電力状態から通常状態に復帰しない領域、すなわち検知を無視する無視領域を記憶する無視領域リストを示す図である。
【図６】操作パネル部１０５の表示画面を示した図である。
【図７】本実施例における検知復帰・無視領域追加処理の一例を示すフローチャートである。
【図８】本実施例における操作パネル無視領域追加削除処理の一例を示すフローチャートである。
【図９】画像処理装置１００の外観の一例を示す図である。
【発明を実施するための形態】
【００１０】
以下、本発明を実施するための形態について図面を用いて説明する。
【実施例１】
【００１１】
図１は、本発明の一実施例を示す画像処理装置の構成の一例を示すブロック図である。
図１において、１００は本実施例における画像処理装置（ＭＦＰ；Multifunction Peripheral）である。１０１はＣＰＵで、本実施例において電源制御を行うプロセッサである。１０２はＲＯＭで、ＣＰＵ１０１のプログラムやデータが格納されている。なお、ＲＯＭ１０２は、フラッシュＲＯＭであり、ＣＰＵ１０１により書き換えが可能である。１０３はＲＡＭで、ＣＰＵ１０１がプログラムを実行する際に使用する。
【００１２】
１０４はセンサ部で、焦電アレイセンサなどに代表されるセンサであり、物体の存在を検知可能でセンサ検知範囲を複数の領域に分け各領域毎に検知可能なものである。また、センサ部１０４が検知する物体は、静止体であっても移動体であってもよい。本実施例では、センサ部１０４が検知する物体を人間として説明するが、センサ部１０４が検知する物体は人間に限定されるものではない。本実施例では、センサ部１０４は、人間の存在を例えば赤外線量等から検知可能でセンサ検知範囲を複数の領域に分け各領域毎に検知可能なものである。なお、ＣＰＵ１０１は、センサ部１０４で検知した領域の位置を領域位置情報としてセンサ部１０４から取得可能である。なお、焦電アレイセンサとは、焦電センサをＮ×Ｎアレイ状に並べたものである（本実施例では、焦電センサを７×７に並べたものを例示している）。また、焦電センサはパッシブ型の人感センサで、人体等の温度を持つものから自然に放射されている赤外線による温度変化を検知することで人体の接近を検出するものである。焦電センサは、消費電力が小さく、検知領域は比較的広いのが特徴である。
【００１３】
１０５は操作パネル部で、画像処理装置１００への操作の受け付け、および画像処理装置１００の状態等を表示する。
１０６は読み取り部で、原稿を読み取り画像データを生成する。１０７は画像処理部で、読み取り部１０６が生成した画像データをＲＡＭ１０３経由で入力して画像処理を施す。１０８は印刷部で、画像処理部１０７が画像処理を施した画像データをＲＡＭ１０３経由で入力し、紙媒体などに印刷する。
【００１４】
１１０は電源プラグである。１１１はメインスイッチで、画像処理装置１００の電源をユーザが物理的にオンオフするためのものである。１１２は電源生成部で、電源プラグ１１０から供給される電源電圧からＣＰＵ１０１等に供給する電源を生成する。
【００１５】
１１５は電源線であり、電源生成部１１２によって生成された電源を、メインスイッチ１１１がオンしている間、常に供給するためのものである。１１７は常時電源グループを示したものであり、電源線１１５で電力供給される。
【００１６】
１１３は電源制御素子（ＦＥＴ）で、電源を電子的にオンオフできる。１１４は非常時電源制御部で、電源制御素子１１３をオンオフする信号を生成する。
１１６は、電源制御素子１１３の出力電源線であり、操作パネル部１０５、読み取り部１０６、画像処理部１０７、印刷部１０８に接続されている。１１８は非常時電源グループを示したものであり、電源制御素子１１３の出力電源線１１６で電力供給される。
【００１７】
１０９はバスで、ＣＰＵ１０１、ＲＯＭ１０２、ＲＡＭ１０３、センサ部１０４、操作パネル部１０５、読み取り部１０６、画像処理部１０７、印刷部１０８、非常時電源制御部１１４を接続する。
【００１８】
本実施例において、ＣＰＵ１０１は、非常時電源制御部１１４を経由して電源制御素子１１３を操作することで、出力電源線（非常時電源線）１１６への通電を停止し、非常時電源グループ１１８への電力供給を遮断して、画像処理装置１００の消費電力を低減する。以後、常時電源グループ１１７だけに電力供給している画像処理装置１００の状態（画像処理動作ができない状態）を「省電力状態」と記述し、ＣＰＵ１０１によるこのような状態操作を「省電力状態へ移行させる」と記述する。
【００１９】
また、ＣＰＵ１０１は、非常時電源制御部１１４を経由して電源制御素子１１３の出力電源線１１６への通電を行い、非常時電源グループ１１８に含まれる操作パネル部１０５等を操作可能な状態にする。以後、このような常時電源グループ、非常時電源グループ両方が電源オンしている画像処理装置１００の状態（画像処理動作が可能な状態）を「通常状態」と記述し、ＣＰＵ１０１によるこのような状態操作を「通常状態へ移行させる」あるいは「復帰させる」と記述する。なお、通常状態では、画像処理動作が可能である。
【００２０】
なお、省電力状態では、通電されている常時電源グループ１１７においても、ＲＡＭ１０３はセルフリフレッシュ状態で、ＣＰＵ１０１も省電力モードに移行するようにしてもよい。
【００２１】
図９は、画像処理装置１００の外観の一例を示す図であり、図１と同一のものには同一の符号を付してある。
なお、図９（Ａ）は画像処理装置１００を正面図に対応し、図９（Ｂ）は画像処理装置を上面図に対応する。
９００は復帰スイッチで、ユーザ操作により、省電力状態から通常状態へ復帰を指示するためのものである。
【００２２】
図２は、画像処理装置１００とセンサ部１０４の検知領域を画像処理装置１００の側面から見た場合の位置関係を示す図である。なお、図１と同一のものには同一の符号を付してある。
図２において、３０１は、画像処理装置１００の前下方に向けられたセンサ部１０４が検知できる検知領域を示したものである。
【００２３】
図３は、画像処理装置１００とセンサ部１０４の検知領域３０１を画像処理装置１００の上方から見た場合の位置関係を示す図である。なお、図２と同一のものには同一の符号を付してある。
【００２４】
本実施例では、センサ部１０４として、焦電センサを７×７アレイ状に並べた焦電アレイセンサを用い、センサ部１０４が個別に検知できる複数の領域を、図３の３０１に示すように７×７のマス目状に示している。これら各検知領域と、焦電アレイセンサ内の各焦電センサは、１対１に対応しており、各焦電センサの検知状態に基づいて、どの領域で人が検知されたか判断することが可能となっている。
【００２５】
３０２は各検知領域位置を説明するためのマス目の行の名前であり、画像処理装置１００に近い行からａ，ｂ，ｃ，ｄ，ｅ，ｆ，ｇである。
３０３はマス目の列の名前であり、画像処理装置１００に向かって左から１，２，３，４，５，６，７で示している。
本実施例の説明においては、画像処理装置１００に向かって、画像処理装置１００に一番近い左端の領域はａ１、一番近い右端はａ７といったように領域位置を説明する。
また、３０４は、実施例１における座席位置を示している。
【００２６】
図４は、図３の座席位置３０４にて人が存在している場合のセンサ部１０４の検知結果を示した図である。
図４において、４０１に示す黒塗り部分が、センサ部１０４において、人の存在を検知していることを示している。図４においては、センサ部１０４から領域位置ｅ１が領域位置情報として得られることを示している。
【００２７】
図５は、図３に示すセンサ検知領域全体の中で、人の存在を検知しても省電力状態から通常状態に復帰しない領域、すなわち検知を無視する無視領域を記憶する無視領域リストを示す図である。
【００２８】
図５において、５００は無視領域を記憶する無視領域リストである。無視領域リスト５００は、ＲＯＭ１０２に格納され、ＣＰＵ１０１によって読み書きされる。５０１は順に振られた番号であり、５０２は領域位置情報を示している。
【００２９】
図６は、操作パネル部１０５の表示画面を示した図である。
図６（ａ）は、操作パネル部１０５の通常画面を示す図である。
図６（ａ）において、６００は検知無視領域表示キーで、センサ部１０４のセンサ検知領域全体の中で、どの領域を無視領域とするのかを設定する検知無視領域画面（図６（ｂ））を呼び出すためのものである。
【００３０】
図６（ｂ）は、検知無視領域画面を示す図である。
図６（ｂ）において、６０１は領域状態表示／変更キーで、センサ部１０４が検知する検知位置毎に検知領域／無視領域のどちらかを示す領域状態表示の機能と、各検知位置の領域状態（検知領域／無視領域）を変更するための変更キーの機能とを有する。
【００３１】
６０２は画像処理装置位置を示すもので、各検知位置と画像処理装置１００の相対位置を明示するためのものである。
６０３は領域状態表示／変更キー６０１が検知領域である場合の検知領域表示であり、６０４は無視領域である場合の無視領域表示である。
６０５は戻るキーで、図６（ｂ）の無視領域リスト画面から、図６（ａ）の通常画面に戻るためのものである。
【００３２】
次に、図７、図８を参照して、本実施例における画像処理装置使用者の接近の検知および省電力状態と通常状態の移行、復帰無視領域の登録と削除を行うための各処理について以下に説明する。
【００３３】
＜検知復帰・無視領域追加処理＞
まず、本実施例におけるパターン検知処理フローについて図７のフローチャートを用いて説明する。
【００３４】
図７は、本実施例における検知復帰・無視領域追加処理の一例を示すフローチャートである。なお、本フローチャートの処理は、ＣＰＵ１０１がＲＯＭ１０２にコンピュータ読み取り可能に記録されたプログラムを実行することにより実現される。
【００３５】
まず、ＣＰＵ１０１は、画像処理装置１００が省電力状態かどうかを判定する（Ｓ１００）。
そして、上記Ｓ１００において、画像処理装置１００が省電力状態でないと判定した場合（Ｓ１００でＮｏの場合）、ＣＰＵ１０１は、Ｓ１００の処理を繰り返す。
一方、上記Ｓ１００において、画像処理装置１００が省電力状態であると判定した場合（Ｓ１００でＹｅｓの場合）、ＣＰＵ１０１は、Ｓ１０１に処理を進める。
Ｓ１０１では、ＣＰＵ１０１は、センサ部１０４に対して、センサ検知領域３０１（図３）の複数の領域位置ａ１〜ｇ７のいずれかの位置に、人の存在を検知したかどうかを判定する。
【００３６】
そして、上記Ｓ１０１において、いずれかの領域位置でも人の存在を検知していないと判定した場合（Ｓ１０１でＮｏの場合）、ＣＰＵ１０１は、Ｓ１０１の処理を繰り返す。
一方、上記Ｓ１０１において、いずれかの領域位置で人の存在を検知した（例えば図３の座席３０４に居る人を図４の４０１に示す領域位置ｅ１で検知した）と判定した場合（Ｓ１０１でＹｅｓの場合）、ＣＰＵ１０１は、Ｓ１０２に処理を進める。
【００３７】
Ｓ１０２では、ＣＰＵ１０１は、上記Ｓ１０１で人の存在を検知したと判定した領域位置（例えば、図４の４０１に示す領域位置ｅ１）を領域位置情報としてＲＡＭ１０３上に記憶し、Ｓ１０３に処理を進める。例えば、図４に示すような検知結果が得られた場合は、上記Ｓ１０２にて領域位置情報として「ｅ１」が記憶されることとなる。
【００３８】
Ｓ１０３では、ＣＰＵ１０１は、上記１０２で記憶した領域位置情報が無視領域リスト５００に存在するかどうかを判定する。
そして、上記Ｓ１０３において、上記１０２で記憶した領域位置情報が無視領域リスト５００に存在すると判定した場合（Ｓ１０３でＹｅｓ）、ＣＰＵ１０１は、上記検知を無視し、Ｓ１０１に処理を戻す。
【００３９】
一方、上記Ｓ１０３において、上記１０２で記憶した領域位置情報が無視領域リスト５００に存在しないと判定した場合（Ｓ１０３でＮｏ）、ＣＰＵ１０１は、Ｓ１０４に処理を進める。
【００４０】
Ｓ１０４では、ＣＰＵ１０１は、省電力状態から通常状態への移行処理（スリープ復帰処理）を実行し、Ｓ１０５に処理を進める。
Ｓ１０５では、ＣＰＵ１０１は、時間を計測するタイマー（時間計測タイマー）をスタートし、Ｓ１０６に処理を進める。
【００４１】
Ｓ１０６では、ＣＰＵ１０１は、操作パネル部１０５に入力があったかどうかを判定する。
そして、上記Ｓ１０６において、操作パネル部１０５に入力があったと判定した場合（Ｓ１０６でＹｅｓ）、ＣＰＵ１０１は、そのままＳ１０９に処理を進める。
【００４２】
一方、上記Ｓ１０６において、操作パネル部１０５に入力が無いと判定した場合（Ｓ１０６でＮｏ）、ＣＰＵ１０１は、Ｓ１０７に処理を進める。
Ｓ１０７では、ＣＰＵ１０１は、上記時間計測タイマーの計時が、予め操作パネル部１０５から設定された所定時間を経過したかどうかを判定する。
そして、上記Ｓ１０７において、所定時間を経過していないと判定した場合（Ｓ１０７でＮｏの場合）、ＣＰＵ１０１は、Ｓ１０６に処理を戻す。
【００４３】
一方、上記Ｓ１０７において、所定時間を経過したと判定した場合（Ｓ１０７でＹｅｓの場合）、ＣＰＵ１０１は、Ｓ１０８に処理を進める。なお、上記の所定時間経過した場合とは、すなわち通常状態への移行直後にスタートした時間計測タイマーが所定時間を計測する間、操作パネル部１０５に入力がなかった場合に相当する。
【００４４】
Ｓ１０８では、ＣＰＵ１０１は、上記Ｓ１０２にて記憶した領域位置情報を無視領域リスト５００（図５）に追加し、Ｓ１０９に処理を進める。
Ｓ１０９では、ＣＰＵ１０１は、時間計測タイマーを停止し、検知復帰・無視領域追加処理を終了する。
【００４５】
以上の処理により、画像処理装置１００は、画像処理装置１００の使用者の接近を検知して省電力状態から通常状態へ移行することができる。また、単に画像処理装置１００の近くの座席に居る人の検知等は無視するための復帰無視領域の登録を自動で行うことができ、ユーザの手間を省くことができる。
【００４６】
なお、本実施例では、人を検知したが操作パネルへの入力がなかった事が１回でもあると、その検知位置での検知を無視して省電力状態を維持するように構成したが、同じ検知位置で人を検知したが操作パネルへの入力がなかった事が所定回数以上続いた場合（又は所定頻度以上の割合で発生した場合）に、その検知位置での検知を無視して省電力状態を維持するようにしてもよい。
【００４７】
また、無視領域リスト５００（図５）に登録された特定の領域位置で人が検知された後、所定時間以内に、操作パネル部１０５の復帰スイッチ９００（図９）が押下されて、画像処理装置１００が通常状態に復帰した場合が所定回数以上あった場合（又は所定頻度以上の割合で発生した場合）には、ＣＰＵ１０１が、上記検知した特定の領域位置に対応する領域位置情報を、無視領域リスト５００から削除するように構成してもよい。
【００４８】
＜操作パネル無視領域追加削除処理＞
次に、操作パネル部１０５に、無視領域リスト５００に従ってセンサ部１０４の検知する領域位置毎の検知領域／無視領域を表示し、領域位置毎に検知領域／無視領域を変更し、無視領域リストに変更を反映する処理を図８のフローチャートを用いて説明する。
【００４９】
図８は、本実施例における操作パネル無視領域追加削除処理の一例を示すフローチャートである。なお、本フローチャートの処理は、ＣＰＵ１０１がＲＯＭ１０２にコンピュータ読み取り可能に記録されたプログラムを実行することにより実現される。
【００５０】
まず、ＣＰＵ１０１は、操作パネル部１０５から検知無視領域表示要求があったかどうかを判定する。具体的には、操作パネル部１０５に表示された図６（ａ）の通常画面の検知無視領域表示キー６００を押下されたかどうかにより判定する（Ｓ２００）。
【００５１】
そして、上記Ｓ２００において、操作パネル部１０５から検知無視領域表示要求がなかったと判定した場合（Ｓ２００でＮｏの場合）、ＣＰＵ１０１は、Ｓ２００の処理を繰り返す。
【００５２】
一方、上記Ｓ２００において、操作パネル部１０５から検知無視領域表示要求があったと判定した場合（Ｓ２００でＹｅｓの場合）、ＣＰＵ１０１は、Ｓ２０１に処理を進める。
【００５３】
Ｓ２０１では、ＣＰＵは、図６（ｂ）に図示したような各領域位置が検知領域か無視領域かを示す領域状態表示／変更キー６０１を生成する。具体的には、図３における各領域位置（ａ１、ａ２、ａ３、・・・、ｇ５、ｇ６、ｇ７）のうち無視領域リスト５００の領域位置情報に該当する領域位置は無視領域と判断して無視領域表示６０４とする。例えば図５における無視領域リスト５００では領域位置情報として「ｅ１」が存在するため、領域状態表示／変更キー６０１の検知位置「ｅ１」は無視領域表示６０４として図６（ｂ）に示すように黒塗りとする。さらに、無視領域リスト５００にない領域位置については検知領域と判断して検知領域表示６０３として図６（ｂ）に示すように白抜きとする。
【００５４】
次に、Ｓ２０２において、ＣＰＵ１０１は、上記Ｓ２０１にて生成した領域状態表示／変更キー６０１を含む図６（ｂ）に示した検知無視領域画面を、操作パネル部１０５に表示し、Ｓ２０３に処理を進める。
【００５５】
Ｓ２０３では、ＣＰＵ１０１は、領域状態表示／変更キー６０１のいずれかが押下されたかどうかを判定する。
そして、上記Ｓ２０３において、領域状態表示／変更キー６０１のいずれも押下されていないと判定した場合（Ｓ２０３でＮｏの場合）、ＣＰＵ１０１は、そのままＳ２０９に処理を進める。
【００５６】
一方、上記Ｓ２０３において、領域状態表示／変更キー６０１のいずれかが押下されたと判定した場合（Ｓ２０３でＹｅｓの場合）、ＣＰＵ１０１は、Ｓ２０４に処理を進める。
【００５７】
Ｓ２０４では、ＣＰＵ１０１は、上記押下された領域状態表示／変更キー６０１の検知位置が無視領域リストに領域位置情報として存在するかどうかを判定する。
そして、上記Ｓ２０４において、上記押下された領域状態表示／変更キー６０１の検知位置が無視領域リストに領域位置情報として存在すると判定した場合（Ｓ２０４でＹｅｓの場合）、ＣＰＵ１０１は、上記押下された領域が現在無視領域であるため検知領域へ変更するため、Ｓ２０５に処理を進める。
【００５８】
Ｓ２０５では、ＣＰＵ１０１は、上記押下された領域状態表示／変更キー６０１の検知位置に該当する領域位置情報を無視領域リストから削除し、Ｓ２０６において、上記押下された領域状態表示／変更キー６０１を検知領域表示６０３に変更し、Ｓ２０９に処理を進める。
【００５９】
一方、上記Ｓ２０４において、上記押下された領域状態表示／変更キー６０１の検知位置が無視領域リストに領域位置情報として存在しないと判定した場合（Ｓ２０４でＮｏの場合）、ＣＰＵ１０１は、上記押下された領域が現在無視領域でないため無視領域へ変更するため、Ｓ２０７に処理を進める。
【００６０】
Ｓ２０７では、ＣＰＵ１０１は、上記押下された領域状態表示／変更キー６０１の検知位置に該当する領域位置情報を無視領域リストに追加し、Ｓ２０８において、上記押下された領域状態表示／変更キー６０１を無視領域表示６０４に変更し、Ｓ２０９に処理を進める。
【００６１】
Ｓ２０９では、ＣＰＵ１０１は、検知無視領域画面終了要求があったかどうかを判定する。具体的には、図６（ｂ）における戻るボタン６０５が押下されたかどうかで検知無視領域画面終了要求があったかどうかを判定する。
【００６２】
そして、上記Ｓ２０９において、検知無視領域画面終了要求がなかったと判定した場合（Ｓ２０９でＮｏの場合）、ＣＰＵ１０１は、Ｓ２０３に処理を戻す。
一方、上記Ｓ２０９において、検知無視領域画面終了要求があったと判定した場合（Ｓ２０９でＹｅｓの場合）、ＣＰＵ１０１は、Ｓ２１０に処理を進める。
Ｓ２１０では、ＣＰＵ１０１は、操作パネル部１０５に図６（ａ）に図示する通常画面を表示し、操作パネル無視領域追加削除処理を終了する。
【００６３】
以上示したように、ユーザが手動で、検知領域、無視領域を設定することができ、一度、無視領域に登録されてしまった領域も、検知領域として復帰させることができる。
なお、上記手動で無視領域から検知領域に変更された領域をＲＯＭ１０２に記憶しておき、この領域については、以後、図７の処理では無視領域に登録されないようにしてもよい。
【００６４】
以上示したように、本実施例によれば、人の存在を検知するセンサの検知領域全体の一部を無視領域（非検知領域）とすることで、検知領域の一部に座席等があったり、通路となっている場合のように、その領域で頻繁に人を検知してしまうような設置環境においても、無駄な省電力状態からの復帰を防止し、適切な省電力状態を保つことが可能になる。
【００６５】
なお、図１に示した常時電源グループ１１７に、ＣＰＵ１０１、ＲＯＭ１０２、ＲＡＭ１０３を設ける構成を説明したが、これらを非常時電源グループ１１８に設け、ＣＰＵ１０１、ＲＯＭ１０２、ＲＡＭ１０３よりも省電力なサブプロセッサ（副制御部）を常時電源グループ１１７内に設けるようにしてもよい。この場合、図７のＳ１０１〜Ｓ１０４までの処理を、上記サブプロセッサで行うものとする。これにより、省電力状態における電力消費をより下げることができ、さらなる省電力を実現できる。
【００６６】
以上のように、人の存在をセンサで検知して省電力状態から通常状態に復帰する画像処理装置が装置を利用しない人を頻繁に検知してしまうような環境に設置されている場合でも、無駄な省電力状態からの復帰を防止し、適切な省電力状態を保つことができる。
【００６７】
従って、利用者の装置への接近を検知して省電力状態から通常状態に復帰にする電力制御を実施しつつ、利用者以外の装置への接近により復帰してしまう事態の発生を抑えることができる。
【００６８】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００６９】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００７０】
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００７１】
１００    画像処理装置（ＭＦＰ）
１０１    ＣＰＵ
１０４    センサ部
１０５    操作部
【図１】
2014110547.tif 000003
【図２】
2014110547.tif 000004
【図３】
2014110547.tif 000005
【図４】
2014110547.tif 000006
【図５】
2014110547.tif 000007
【図６】
2014110547.tif 000008
【図７】
2014110547.tif 000009
【図８】
2014110547.tif 000010
【図９】
2014110547.tif 000011